(57)【要約】  【課題】  デザイン性を有する形状でありながら、保管時にかさばらず、且つ手提げ紐を把持して持ち運ぶ時に安定性良く運搬することが可能な運搬用容器を提供する。  【解決手段】  三角形の底板１４の三辺それぞれに側板１５ａ，１５ｂ，１５ｃが連接されて三角柱状の収容部が形成され、所定の側板１５ａに収容部内側へ折り畳み得る縦の折り目１５ｄが設けられ、縦の折り目に連続するように三角形底板の一辺から頂角Ａまで延びる第一の折り目１４ａ，１４ｂが設けられ、三角形底板の二つの底角から第一の折り目の所定点で交差する第二及び第三の折り目１４ｃ，１４ｄが設けられた。また三つの側板の上端部には、一対の手提げ紐１６のそれぞれ一端１６ａを三角柱の頂角を挟んだ頂角近傍の両側に固定し、一対の手提げ紐のそれぞれ他端１６ｂを縦の折り目を挟んで、ほぼ対象の位置に固定した。【選択図】  図１
2007069918.tif 000002
【特許請求の範囲】
【請求項１】
三角形の底板の三辺それぞれに側板が連接されて三角柱状の収容部が形成され、所定の側板に収容部内側へ折り畳むための縦の折り目が設けられ、該縦の折り目に連続するように三角形底板の一辺から頂角まで延びる第一の折り目が設けられ、該三角形底板の二つの底角から第一の折り目の所定点で交差する第二及び第三の折り目が設けられたものである運搬用容器。
【請求項２】
前記三つの側板の上端部において、一対の手提げ紐のそれぞれ一端が三角柱の頂角を挟んだ頂角近傍の両側に固定され、該一対の手提げ紐のそれぞれ他端は前記縦の折り目を挟んで、ほぼ対象の位置に固定されたものである請求項１に記載の運搬用容器。
【請求項３】
前記収容部において物品が移動しないように固定する固定部材が前記底板上に配置され、該固定部材には物品を嵌め込むための嵌合部が形成されたものである請求項１に記載の運搬用容器。
【請求項４】
前記嵌合部を拡大可能なようにミシン目が前記固定部材に設けられた請求項３に記載の運搬用容器。
【発明の詳細な説明】
【技術分野】
【０００１】
本発明は、鉢植えの植物、フラワーバスケット、ケーキ、酒などの物品を包装し、運搬するための運搬用容器に関する。
【背景技術】
【０００２】
スーパーマーケット等で購入した商品を持ち帰るため、合成樹脂フィルムからなる扁平な手提げ袋が使用されており、鉢植えの植物、フラワーバスケット、酒類も、この手提げ袋により持ち運びが行われている。
【０００３】
合成樹脂フィルム製の手提げ袋は、収納する物に応じて形を変え得るものであるため、壊れ難い日用雑貨品のような物品の運搬には便利であるが、ケーキや植物等のように脆弱なものを運搬することには不向きである。
つまり、合成樹脂フィルム製の手提げ袋の底は不安定であるため、これに鉢植えの植物を入れて持ち運ぶ場合には、安定した収納状態を保つことができず、手提げ袋内にて鉢が傾くことがある。鉢部分は比較的壊れ難いものであるが、植物は傷つき易く、植物が傷んだり、折れる可能性が高い。
【０００４】
また合成樹脂フィルム製の手提げ袋以外では、紙製の手提げ袋も使用されており、長方形の底板に側板が連接された角柱状の収容部を有するものが一般的である。このような角柱状の手提げ袋は、その形状がデザイン性に乏しく、他の手提げ袋との差別化が困難であるため、異なる形状の手提げ袋に対する潜在的な需要がある。しかしながら、デザイン性を重視して手提げ袋の形状を決めた場合には、折畳んで保管する時に、折り目がデザイン性を阻害したり、嵩張ってしまうという課題がある。また手提げ紐を付けたときのバランスも取り難くなるという課題もある。
【発明の開示】
【発明が解決しようとする課題】
【０００５】
本発明の課題は、デザイン性を有する形状でありながら、保管時にかさばらず、且つ折り目がデザイン性を阻害しないように折畳むことが可能な運搬用容器を提供することにある。
【０００６】
本発明の別の課題は、デザイン性を有する形状でありながら、手提げ紐を把持して持ち運ぶ時に、安定性良く運搬することが可能な運搬用容器を提供することにある。
【０００７】
また本発明の別の課題は、物品を安定性良く収容することができて、緩衝性がある運搬用容器を提供することにある。
【課題を解決するための手段】
【０００８】
上記課題を解決するために、本発明では、三角形の底板の三辺それぞれに側板が連接されて三角柱状の収容部が形成され、所定の側板に収容部内側へ折り畳むための縦の折り目が設けられ、該縦の折り目に連続するように三角形底板の一辺から頂角まで延びる第一の折り目が設けられ、該三角形底板の二つの底角から第一の折り目の所定点で交差する第二及び第三の折り目が設けられたものである運搬用容器が提供される。
本発明の運搬用容器では、一つの側板に設けた縦の折り目を内側に折り込むと、この側板を挟むように他の二つの側板が折畳まれ、底板も、第一、第二及び第三の折り目の交差する点を頂点として内側に折り込まれるため、運搬用容器は三角柱状でありながら、保管時にかさばらないように折畳むことが可能になった。そして、運搬用容器に設けられた複数の折り目のうちで、使用時に外観に顕れるものは縦の折り目のみであり、他の折り目は底板に集中されて目立たないため、折り目によるデザイン性への悪影響を抑制することができる。
【０００９】
本発明の運搬用容器では、前記三つの側板の上端部において、一対の手提げ紐のそれぞれ一端が三角柱の頂角を挟んだ頂角近傍の両側に固定され、該一対の手提げ紐のそれぞれ他端は前記縦の折り目を挟んで、ほぼ対象の位置に固定することが好ましい。このような配置で手提げ紐を取り付けることにより、収納物品の重量と手提げ紐からの力が、運搬用容器自体に作用した場合にも、三角柱形状の側板は比較的変形し難く、三角柱形状は保持されて、運搬用容器の内部に収納した物品を潰すことなく運搬することができる。
【００１０】
本発明の運搬用容器では、前記収容部において物品が移動しないように固定する固定部材を前記底板上に配置し、該固定部材には物品を嵌め込むための嵌合部を形成することができる。このような運搬用容器において、物品を固定部材の嵌合部に嵌め込めば、物品を安定性良く収容することができて、運搬途中に物品が傷むことを防止できる。また運搬用容器では、固定部材が側板と物品との間に介在するため、緩衝材としても機能して衝撃から収容物を保護することができる。
【００１１】
本発明の運搬用容器では、前記嵌合部を拡大可能なようにミシン目を前記固定部材に設けても良く、収容する物品の形状や寸法に応じ、ミシン目に沿って固定部材を破断すれば、嵌合部を容易に拡大することができる。
【００１２】
なお、本発明の運搬用容器の素材は、ボール紙、薄手の段ボールなどの紙のほか、合成樹脂シート、プラスチック段ボールなど、折り目加工ができて、折り曲げ可能であれば適宜選択することができる。素材は、収容する物品に応じた緩衝性、剛性、防水性、耐水性が確保できるように適宜選択する。
【発明の効果】
【００１３】
本発明の運搬用容器は、デザイン性を有する形状でありながら、保管時に嵩張らず折畳みが可能であり、物品を安定性良く運搬することが可能で、或る程度の緩衝性を有する。
【発明を実施するための最良の形態】
【００１４】
以下、添付図面を参照して本発明の好適な実施形態を説明する。
本発明の運搬用容器１０は、図１に示したように、三角柱状の容器本体部１１の底に補強板１２が配置され、この補強板１２の上から固定部材１３が配置されたものである。
なお、固定部材１３は必要に応じて使用されるものであり、例えば、鉢植え等の物品を収納して運搬する場合には固定部材１３が使用され、一方、運搬途中に傷つき難いものであれば固定部材１３は使用されない。
【００１５】
次に、図２は運搬用容器１０の正面図、図３は背面図、図４は右側面図、図５は左側面図、図６は運搬用容器１０を上から見下ろした平面図、図７は底面図である。
前記容器本体部１１は、図１乃至図５に示したように、三角形の底板１４の各辺に側板１５ａ，１５ｂ，１５ｃが連接されて三角柱状に形成され、側板１５ａ〜１５ｃで囲まれた内側に物品の収容部が形成され、側板１５ａ〜１５ｃの上端付近に一対の手提げ紐１６が取付けられている。一対の手提げ紐１６のそれぞれ一端１６ａが、三角柱の頂角Ａを挟んだ両側に固定され、一対の手提げ紐１６のそれぞれ他端１６ｂが縦の折り目１５ｄを挟んでほぼ対象の位置に固定される。これら一対の手提げ紐１６の端部１６ｂ同士の間隔は、端部１６ａ同士の間隔よりも若干広くなるように配置されている。このような配置で手提げ紐１６を設けることにより、収納物品の重量と手提げ紐１６からの力が、運搬用容器１０自体に作用した場合にも、三角柱形状の側板は変形し難く、三角柱形状が保持されるため、運搬用容器の内部に収納した物品は潰れることなく、安定性良く運搬することが可能になる。
【００１６】
側板１５ａには、図１及び図２に示したように、収容部内側へ折り畳まれるように縦の折り目１５ｄがほぼ中央に設けられている。また底板１４にも、図７に示したように折り目１４ａ〜１４ｄが設けられている。側板１５ａの縦の折り目１５ｄと底板１４の第一の折り目１４ａとは連続するように配置され、この第一の折り目１４ａは、さらに第一の折り目１４ｂを介して頂角Ａまで延長されている。第二及び第三の折り目１４ｃ，１４ｄは二つの底角Ｂ，Ｃから、第一の折り目１４ａ，１４ｂの所定点（交点１４ｅ）まで延長されている。この交点１４ｅは、底板１４を図７のように正三角形とした場合、その重心に配置される。
【００１７】
運搬用容器１０を使用しないときには、図８に示したように、縦の折り目１５ｄに沿って側板１５ａを内側に折り込めば、この側板１５ａを挟むように他の二つの側板１５ｂ，１５ｃが折畳まれる。また底板１４も、第一の折り目１４ａが、側板１５ａの折り目１５ｄの裏側に接しながら折り込まれ、他の第一の折り目１４ｂ、第二折り目１４ｃ及び第三の折り目１４ｄが交点１４ｅを頂点とするように内側に折り込まれ、図８の斜視図に示したように平坦にすることができて、嵩張らずに保管することが可能になる。また運搬用容器１０を使用するときは、容器本体部１１の折り目１４ａ〜１４ｄ，１５ｄを延ばして拡大し、底板１４上に補強板１２を配置すれば、容器本体部１１の立体形状を保持することができる。
【００１８】
前記固定部材１３は、図９の展開図に示したように、三角形の板体１３ａのほぼ中央に物品を収容する嵌合部としての穴１３ｂが設けられ、この穴１３ｂの外周に円状のミシン目１３ｃが設けられている。ここでは、三角形板体１３ａとして円状ミシン目１３ｃが一つのみ形成されたものを図示したが、必要に応じて同心円状に複数設けることも可能である。円状ミシン目１３ｃは、これに沿って内周部分を取り除いて穴を拡大すれば、物品の大きさや形状に応じた微調整が可能である。
三角形板体１３ａの各辺には折り目１３ｄを介して脚片１３ｅが連接されており、これら脚片１３ｅを折り目１３ｄで略９０度に折り返すことにより、図１のような立体形状にされ、これが容器本体部１１の底板１４上に配置される。脚片１３ｅにより、三角形板体１３ａと容器本体部１１の底板１４との間には隙間が維持され、この空間により緩衝効果が得られる。また固定部材１３において、物品すなわち鉢植え植物１７は、図１０の斜視図に示したように中央の穴１３ｂに配置されるため、運搬用容器１０内で移動しないように固定されると共に、側板１５ａ〜１５ｃとの間のクリアランスが保たれて、このクリアランスにより緩衝効果が得られる。
【図面の簡単な説明】
【００１９】
【図１】本発明の運搬用容器の各構成を説明するための斜視図である。
【図２】本発明の運搬用容器の正面図である。
【図３】本発明の運搬用容器の背面図である。
【図４】本発明の運搬用容器の右側面図である。
【図５】本発明の運搬用容器の左側面図である。
【図６】本発明の運搬用容器を上から見下ろした平面図である。
【図７】本発明の運搬用容器の底面図である。
【図８】容器本体部を折りたたんだときの斜視図である。
【図９】固定部材の展開図である。
【図１０】本発明の運搬用容器に鉢植え植物を収容したときの斜視図である。
【符号の説明】
【００２０】
１０  運搬用容器
１１  容器本体部
１２  補強板
１３  固定部材
１３ｂ  穴（嵌合部）
１３ｃ  円状ミシン目
１４  底板
１４ａ  第一の折り目
１４ｂ  第一の折り目
１４ｃ  第二の折り目
１４ｄ  第三の折り目
１５ａ〜１５ｃ  側板
１５ｄ  縦の折り目
【図１】
2007069918.tif 000003
【図２】
2007069918.tif 000004
【図３】
2007069918.tif 000005
【図４】
2007069918.tif 000006
【図５】
2007069918.tif 000007
【図６】
2007069918.tif 000008
【図７】
2007069918.tif 000009
【図８】
2007069918.tif 000010
【図９】
2007069918.tif 000011
【図１０】
2007069918.tif 000012